(57)【要約】【課題】本発明は高出力で歪みを大幅に低減でき、薄型化が可能で高信頼性を有するスピーカを提供することを目的とするものである。【解決手段】そして、この目的を達成するために本発明は、磁気ギャップ１８を介して斜め方向、または略水平方向に配置した第一、第二の磁石１１、１３と、磁気ギャップ１８に可動自在に配置したボイスコイル体２１と、このボイスコイル体２１に結合した振動板２２と、第一のダンパー１５と、２本の配線と一体化した第二のダンパー１６とを備え、振動板２２はボイスコイル体２１の上部に結合され、第一のダンパー１５をその一端がボイスコイル体２１の上部に接続するとともに第一の磁石１１の上方に配置し、２本の配線と一体化した第二のダンパー１６をその一端がボイスコイル体２１の下部に接続するとともに第二の磁石１３の下方に配置する構成としたものである。【選択図】図１
2008193643.tif 000002
【特許請求の範囲】
【請求項１】
磁気ギャップを介して斜め方向、または略水平方向に配置した第一、第二の磁石と、前記磁気ギャップに可動自在に配置したボイスコイル体と、このボイスコイル体に結合した振動板と、第一のダンパーと、２本の配線と一体化した第二のダンパーとを備え、前記振動板はボイスコイル体の上部に結合され、前記第一のダンパーはその一端がボイスコイル体の上部に接続するとともに第一の磁石の上方に配置し、前記２本の配線と一体化した第二のダンパーはその一端がボイスコイル体の下部に接続するとともに第二の磁石の下方に配置する構成としたスピーカ。
【請求項２】
第一、第二の磁石は磁気的に連結させて磁気回路を形成させるようにした請求項１に記載のスピーカ。
【請求項３】
配線を金糸線とした請求項１に記載のスピーカ。
【請求項４】
第二のダンパーは２本の金糸線を２枚のダンパーの間に重ね合わせ一体化した請求項１に記載のスピーカ。
【発明の詳細な説明】
【技術分野】
【０００１】
本発明は各種音響機器および情報通信機器に使用されるスピーカに関するものである。
【背景技術】
【０００２】
従来のスピーカについて、図５により説明する。図５は従来のスピーカの断面図を示したものである。
【０００３】
図５によると、着磁された磁石１をセンターポール３Ａを有する下部プレート３に結合し、磁石１の下部プレート３と結合した反対側に上部プレート２を結合して、これらで外磁型の磁気回路４を構成している。
【０００４】
そして、この磁気回路４にフレーム６を結合し、このフレーム６の周縁部に振動板７を結合している。この振動板７にボイスコイル体８を結合するとともに、このボイスコイル体８を上記磁気回路４の磁気ギャップ５に挿入してスピーカを構成している。
【０００５】
ボイスコイル体８のボイスコイルへ電気信号を入力する配線１０は、ボイスコイル体８の円周端部とフレーム６の中間部に取り付けられているターミナル９に接続され、振動板７と上部プレート２との間の空間で保持された状態になっている。
【０００６】
なお、この出願の発明に関する先行技術文献情報としては、例えば、特許文献１が知られている。
【特許文献１】特開２００５−５１２８３号公報
【発明の開示】
【発明が解決しようとする課題】
【０００７】
しかしながら、従来のスピーカにおいては、大振幅時に駆動系部品であるボイスコイル体８がローリングを起こし、歪みや異常音を発生するという問題があった。
【０００８】
このローリングを起こす要因としては、比較的重量のあるボイスコイル体８を振動板７が支え、しかもボイスコイル体８の上端のみで固定された、いわば片持ち梁の状態で支持されているため、大振幅時にボイスコイル体８が振り子のように振れながら上下振幅をすることにより、ローリングによる歪みやギャップ不良により異常音を発生するという課題を有していた。
【０００９】
また、配線１０が振動板７と上部プレート２との間の空間で接続されているため、全体の高さを薄型化するのに限界があるとともに、配線１０が空中で保持されているため信頼性面でも課題を有していた。
【００１０】
そこで、本発明はこのような課題を解決し、高出力の音圧を上げるとともにスピーカの歪みを低減させ、薄型化が可能で高信頼性を有するスピーカを提供することを目的とする。
【課題を解決するための手段】
【００１１】
そして、この目的を達成するために本発明は、磁気ギャップを介して斜め方向、または略水平方向に配置した第一、第二の磁石と、前記磁気ギャップに可動自在に配置したボイスコイル体と、このボイスコイル体に結合した振動板と、第一のダンパーと、２本の配線と一体化した第二のダンパーとを備え、前記振動板はボイスコイル体の上部に結合され、前記第一のダンパーはその一端がボイスコイル体の上部に接続するとともに第一の磁石の上方に配置し、前記２本の配線と一体化した第二のダンパーはその一端がボイスコイル体の下部に接続するとともに第二の磁石の下方に配置する構成としたものである。
【発明の効果】
【００１２】
本発明は、第一の磁石と第二の磁石である二つの磁石を用いることにより大きな駆動力を発生させて高出力の音圧を上げることができるとともに、ボイスコイル体の上方と下方にダンパーを取り付けたことにより、いわば両持ち梁の構成となることから、大振幅時にもボイスコイル体のローリングを防止してスピーカの歪みやギャップ不良を低減できるものである。さらに、２本の配線を一体化したダンパーを用いることにより、より薄型化が可能で配線の断線などが起こりにくい信頼性の高い構成が得られるものである。
【発明を実施するための最良の形態】
【００１３】
以下、本発明の一実施の形態について図１を用いて説明する。
【００１４】
図１は本発明のスピーカを示す断面図であり、下ヨーク１７ａの中央部に第一の磁石１１と第一のプレート１２が接着により配置され、上ヨーク１７ｂの内側に第二の磁石１３と第二のプレート１４が接着により配置されている。下ヨーク１７ａと上ヨーク１７ｂはフレーム２３により保持されている。
【００１５】
そして、第一の磁石１１と第一のプレート１２は第二の磁石１３と第二のプレート１４と斜め方向、又は略水平方向に配置され、これらの下ヨーク１７ａ、上ヨーク１７ｂ、第一の磁石１１、第一のプレート１２、第二の磁石１３、第二のプレート１４により磁気回路が構成される。このような構成の磁気回路は斜向磁気回路と呼ばれている。
【００１６】
磁気ギャップ１８は、第一の磁石１１、第一のプレート１２と第二の磁石１３、第二のプレート１４により、上面側に向けて開口して形成されている。
【００１７】
ボイスコイル体２１は、円筒状のボビン１９の外周部にコイル２０が巻き付けられた構造であり、磁気ギャップ１８に対して上下方向に可動自在に配置されたもので、ボイスコイル体２１の上方の外周部に接続された振動板２２を振動させる軸となる構造となっている。
【００１８】
第一のダンパー１５は円板状のコルゲート構造で、その外周端部はボイスコイル体２１のコイル２０よりも上方の上端部に近い位置に接続され、その内周端部は凸部の形状をした第一のプレート１２の凸部の上端部に接続されている。一方、第二のダンパー１６は円板状のコルゲート構造で、その内周端部はボイスコイル体２１のコイル２０より下方の下端部の位置に接続され、その外周端部は下ヨーク１７ａと上ヨーク１７ｂの接続部に接続されている。このコルゲート構造は弾性をもつ波板状のリング構造であり、ボイスコイル体２１の駆動に対応して伸縮する構成となっており、ボイスコイル体２１の駆動に追従しやすくなっている。
【００１９】
ここで、第二のダンパー１６について詳述する。
【００２０】
第二のダンパー１６は、図２、図３に示すように、配線である金糸線２５を２枚の上ダンパー１６ａ、下ダンパー１６ｂの間に配して同時熱成形による貼り合わせを行い一体化構造にしたものである。図４はそれを平面図で示したものである。
【００２１】
そして、この第二のダンパー１６と一体化した２本の金糸線２５は、その一端がボイスコイル体２１のコイル２０に接続され、他端はヨーク２３の外側に設けたターミナル２４に接続される。
【００２２】
本実施の形態では、２本の金糸線２５を２枚の上ダンパー１６ａ、下ダンパー１６ｂの間に配して同時熱成形により一体化構造としたもので説明したが、２本の金糸線２５を第二のダンパー１６の上面に配し接着剤などで貼り合わせて一体化構造にしたものでもよいが、前者の方がより信頼性の高い構成といえる。
【００２３】
ボイスコイル体２１のコイル２０に配線である金糸線２５を通して音声信号を印加することで、磁気ギャップ１８の磁界と反応しボイスコイル体２１が上下方向に駆動し、この駆動により振動板２２が振動してスピーカから音が発信されるものである。
【００２４】
本発明のスピーカは、第一の磁石１１と第二の磁石１３の二つの磁石を用いて磁気ギャップ１８を構成しているため、ボイスコイル体２１に大きな駆動力を発生させることができ、その結果として振動板２２による音声出力も大きなものとすることができる。
【００２５】
また、このような磁気回路構成においては、第二の磁石１３の下方に第二のダンパー１６を配置する空間を設けることができるので、この位置に第二のダンパー１６を配置し、この第二のダンパー１６の内周端をボイスコイル体２１の下方の端部に接続することができる。これにより、ボイスコイル体２１は上方の端部に第一のダンパー１５を、下方の端部に第二のダンパー１６を取り付けることができるので、いわゆる両持ち梁の構成となることから、ボイスコイル体２１のローリングを防止することができる。
【００２６】
また、２本の金糸線２５を第二のダンパー１６と一体化構造とすることにより、従来構造のように空中配線をするスペースを確保する必要がなくなり、さらに薄型化が図れるとともに、金糸線２５の振動による断線などの起こりにくい信頼性の高い構成とすることができる。
【００２７】
上記の実施の形態は、スピーカの形状を円形として説明したが、上記の構成を有するものであれば、楕円形や細長形であってもよいのは勿論である。
【産業上の利用可能性】
【００２８】
本発明は、薄型構造のスピーカにおいて、高出力の音圧を上げることができるとともに、歪みやギャップ不良を低減させることができ、各種音響機器および情報通信機器に使用されるスピーカに有用である。
【図面の簡単な説明】
【００２９】
【図１】本発明の一実施の形態におけるスピーカの断面図
【図２】金糸線と一体化した第二のダンパーの加工工程を示す図
【図３】金糸線と一体化した第二のダンパーの断面図
【図４】金糸線と一体化した第二のダンパーの平面図
【図５】従来のスピーカの断面図
【符号の説明】
【００３０】
１１  第一の磁石
１２  第一のプレート
１３  第二の磁石
１４  第二のプレート
１５  第一のダンパー
１６  第二のダンパー
１７ａ  下ヨーク
１７ｂ  上ヨーク
１８  磁気ギャップ
１９  ボビン
２０  コイル
２１  ボイスコイル体
２２  振動板
２３  フレーム
２４  ターミナル
２５  配線（金糸線）
【図１】
2008193643.tif 000003
【図２】
2008193643.tif 000004
【図３】
2008193643.tif 000005
【図４】
2008193643.tif 000006
【図５】
2008193643.tif 000007